(57)【要約】本発明は、空気清浄機（０）であって、空気搬送装置（１５）と、浄化液（５）を収容する液体リザーバ（４）と、モータ（１３）によって駆動される回転複合体（１６）とが、設けられており、該回転複合体（１６）の回転軸線（７）が浄化液（５）の液体鏡面（８）に対してほぼ垂直に配置されており、回転複合体が１つの遠心円板（９）を有していて、少なくとも部分的にバッフルエレメント（１４）によって取り囲まれている形式のものに関する。このような形式の空気清浄機を出発点として、本発明の課題は、空気の効果的な浄化を保証する空気清浄機を提供することである。この課題を解決するために本発明の構成では、回転複合体（６）が上昇管（１０）と、前記遠心円板に加えてさらに複数の遠心円板（９）とを有しており、これらの遠心円板（９）がほぼ互いに平行に間隔をおいて位置していて、その回転中心に通気開口（２５）を備えており、上昇管（１０）が回転軸線（７）に対してほぼ平行に延びていて、遠心円板（９）を貫通していて、遠心円板（９）の上側面の領域に流出開口（２６）を備えていて、しかも液体リザーバ（４）に向けられた端部において浄化液（５）と接触しているようにした。
2006520625.tif 000002
【特許請求の範囲】
【請求項１】
空気清浄機であって、空気流入部と、空気搬送装置と、浄化液を収容する液体リザーバと、モータによって駆動される回転複合体とが、設けられており、該回転複合体の回転軸線が浄化液の液体鏡面に対してほぼ垂直に配置されており、回転複合体が１つの遠心円板を有していて、少なくとも部分的にバッフルエレメントによって取り囲まれている形式のものにおいて、回転複合体（６）が上昇管（１０）と、前記遠心円板に加えてさらに複数の遠心円板（９）とを有しており、これらの遠心円板（９）がほぼ互いに平行に間隔をおいて位置していて、その回転中心に通気開口（２５）を備えており、上昇管（１０）が回転軸線（７）に対してほぼ平行に延びていて、遠心円板（９）を貫通していて、遠心円板（９）の上側面の領域に流出開口（２６）を備えていて、しかも液体リザーバ（４）に向けられた端部において浄化液（５）と接触していることを特徴とする空気清浄機。
【請求項２】
回転複合体（６）が、流入部（２０）と供給槽（２１）とを備えたホッパ状の供給装置（１１）を有しており、少なくとも供給槽（２１）が回転軸線（７）に沿って複数の室（２３）に分割されていて、これらの室（２３）内に、上昇管（１０）の、液体リザーバ（４）に向けられた端部が達している、請求項１記載の空気清浄機。
【請求項３】
液体リザーバ（４）に向けられた上昇管（１０）の端部を取り囲むフィルタエレメント（２４）が設けられている、請求項１記載の空気清浄機。
【請求項４】
供給装置（１１）を取り囲むフィルタエレメント（２４）が設けられている、請求項２記載の空気清浄機。
【請求項５】
流入空気案内部（１９）が設けられており、該流入空気案内部（１９）が、空気清浄機（０）の内部における流入空気（１６）の流れを隔離し、空気流入部（１７）から、該空気流入部（１７）の最も近くに位置する遠心円板（１８）にまで延びている、請求項１から４までのいずれか１項記載の空気清浄機。
【発明の詳細な説明】
【技術分野】
【０００１】
本発明は、空気清浄機であって、空気流入部と、空気搬送装置と、浄化液を収容する液体リザーバと、モータによって駆動される回転複合体とが、設けられており、該回転複合体の回転軸線が浄化液の液体鏡面に対してほぼ垂直に配置されており、回転複合体が１つの遠心円板を有していて、少なくとも部分的にバッフルエレメントによって取り囲まれている形式のものに関する。
【０００２】
人間は高まる空気汚染にさらされている。大気中における浮遊微粒子、塵埃、花粉、バクテリア又はガス状の汚染物質は、人間の呼吸器を負荷し、衰弱させる。その結果慢性アレルギ又は、それどころか生命を脅かす病気を発症することもまれではない。
【０００３】
人間に対する空気汚染の影響を減じるために、空気清浄機が知られているが、この空気清浄機は、吸い込まれる空気から有害成分を除去し、かつ付加的に湿り気を与える。それというのは、適度な空気中の水分は人間の健康を増進することができるからである。
【０００４】
空気の浄化及び加湿のために、空気清浄機は、最も簡単な場合には水である浄化液を使用する。場合によっては、浄化された空気に特別な品質を与えるために、浄化液に添加剤及び／又はアロマ物質が加えられる。
【０００５】
従来技術では、種々様々な構造形式の空気清浄機が知られており、これらの空気清浄機は、空気浄化及び加湿のため並びに空気及び浄化液の搬送のために、種々様々な物理的な効果を利用する。
【０００６】
特開平７−２４３６７７号公報に基づいて公知の空気清浄機の心臓部は、回転複合体と呼ぶことができる構造群である。この回転複合体は、空気清浄機の種々異なった部分機能を果たす複数の構成部材から成っている。これらの構成部材は、１つの共通の回転軸線に沿って配置されていて、モータによって回転させられる。回転軸線は、液体リザーバによって収容される浄化液の液体鏡面に対して垂直に配置されている。
【０００７】
上記公報の回転複合体の主要な構成部材は、遠心円板と、軸流ファンの形の空気搬送装置と液体搬送装置であり、この液体搬送装置はスクリュと二重壁の螺旋シリンダとから成っている。回転複合体はほぼ完全に霧室によって取り囲まれている。液体搬送装置は浄化液を液体リザーバから回転軸線に沿って、液体鏡面の上に配置されている遠心円板に向かって搬送する。そして遠心円板は浄化液によって濡らされていて、この遠心円板から浄化液は、回転複合体を遠心円板の領域において取り囲んでいるバッフルエレメントへと遠心力によって吹き飛ばされる。これによって浄化液は微細に霧化される。軸流ファンは空気流を生ぜしめ、この空気流は、霧室内における霧化された雰囲気を空気清浄機から周囲へと運ぶ。
【０００８】
この公知の空気清浄機の有効性は不満足である。空気清浄機がその流入開口から吸い込む周囲空気のかなりの部分が、機械を浄化されずに貫流する。すなわちこの場合周囲空気のかなりの部分は、霧室から流出する霧状の雰囲気のそばを流れ過ぎてしまう。このことは、このことは流体力学的に明らかである。それというのは、流入空気は強制的に霧室を通して案内されるようになっていないからである。むしろこの場合霧室には、湿った重い空気の傍らを延びている抵抗の小さな経路が、形成される。従って公知の構成では、有効な空気浄化は不可能である。公知の空気清浄機から流出する霧状の雰囲気が、周囲空気と混じり合って、周囲空気に湿気を与えることがせいぜいである。
【０００９】
ゆえに本発明の課題は、周囲空気の効果的な浄化を保証する空気清浄機を提供することである。
【００１０】
この課題を解決するために本発明の構成では、冒頭に述べた形式の空気清浄機において、回転複合体が複数の上昇管と、前記遠心円板に加えてさらに複数の遠心円板とを有しており、これらの遠心円板がほぼ互いに平行に間隔をおいて位置していて、その回転中心に通気開口を備えており、上昇管が回転軸線に対してほぼ平行に延びていて、遠心円板を貫通していて、遠心円板の上側面の領域に流出開口を備えていて、しかも液体リザーバに向けられた端部において浄化液と接触しているようにした。
【００１１】
この空気清浄機の利点は、浄化される空気が、個々の遠心円板の間における霧状の雰囲気を強制的に貫流させられることにある。これによって特に強力な空気の浄化及び加湿が確実に行われる。
【００１２】
上昇管の充てんを改善するために、本発明の別の構成では、回転複合体が、流入部と供給槽とを備えたホッパ状の供給装置を有しており、少なくとも供給槽が回転軸線に沿って複数の室に分割されていて、これらの室内に、上昇管の、液体リザーバに向けられた端部が達している。
【００１３】
このような供給装置は、回転複合体の角速度が小さな場合でも浄化液において十分な液圧を生ぜしめ、その結果上昇管内に必要な高さを有する液柱が形成される。
【００１４】
浄化液は、空気の汚染物質を吸収し、これによってもちろん浄化液自体は汚れる。回路内を流れる浄化液の耐用寿命を延ばすため及び霧化直前における汚れ吸収能力を改善するために、本発明の別の構成では、液体リザーバに向けられた上昇管の端部を取り囲むフィルタエレメントが設けられている。上昇管の端部を取り囲む代わりに、フィルタエレメントが供給装置を取り囲んでいる構成も可能である。
【００１５】
空気清浄機の内部において浄化される流入空気と浄化された流出空気とが混ざり合うことは、空気清浄機の効率を良好にするために、回避することが望ましい。そこで本発明の別の有利な構成では、流入空気案内部が設けられており、該流入空気案内部が、空気清浄機の内部における流入空気の流れを隔離し、空気流入部から、該空気流入部の最も近くに位置する遠心円板にまで延びている。
【００１６】
次に図面を参照しながら本発明による空気清浄機の実施例を説明する。
【００１７】
図１は、空気清浄機の原理を示す図であり、
図２は、図１のＡ−Ａ線に沿った断面図であり、
図３は、図１のＢ−Ｂ線に沿った断面図である。
【００１８】
空気清浄機は全体を符号０で示されている。この空気清浄機０はハウジング１を有しており、このハウジング１はフード２と被覆体３とから成っている。被覆体３は、浄化液５を収容する液体リザーバ４を有している。空気清浄機０の心臓部は回転複合体６であり、この回転複合体６の回転軸線７は、浄化液５の液体鏡面８に対して垂直に配置されている。
【００１９】
回転複合体６の主要な構成部材は、複数の遠心円板９と３つの上昇管１０とホッパ状の供給装置１１である。上昇管１０は保持体１２によって安定化される。モータ１３が回転複合体６を回転させる。回転複合体６は遠心円板９の領域において、邪魔板として働くバッフルエレメント１４によって取り囲まれている。
【００２０】
回転複合体６の上には空気搬送装置１５が配置されており、この空気搬送装置１５は浄化すべき流入空気１６を、フード２に設けられた空気流入部１７を通して吸い込む。空気搬送装置１５は固有の駆動装置を有していてもよいし、回転複合体６のモータ１３によって一緒に駆動されてもよい。空気流入部１７と、この空気流入部１７の最も近くに位置している遠心円板１８との間には、流入空気案内部１９が延びており、この流入空気案内部１９は、空気清浄機０の内部における浄化すべき流入空気１６を隔離している。
【００２１】
ホッパ状の供給装置１１は流入部２０と供給槽２１とを有している。案内羽根２２は供給装置１１をその長手方向軸線７に沿って３つの室２３に分割している。
【００２２】
流入部２０は浄化液５の液体鏡面８の下に位置しており、そこで供給装置１１はフィルタエレメント２４によって取り囲まれている。上昇管１０は液体リザーバ４に向けられた端部で、供給槽２１の内部における各室２３に進入している。
【００２３】
回転複合体６の回転速度の上昇に伴って、案内羽根２２の前には堰き止め圧が発生し、この堰き止め圧は浄化液５を、供給槽２１を通して上昇管１０の中にまで押し上げる。運転回転数では上昇管１０内における液柱は、空気流入部１７に最も近い遠心円板１８にまで達する。
【００２４】
遠心円板９はその回転中心に通気開口２５を有している。この通気開口２５の周りには共通の半径上に、つまり同一円周上に３つの上昇管１０が配置されている。
【００２５】
上昇管１０は、遠心円板９を貫通しかつ遠心円板９を保持する単純な横断面円形の管である。
【００２６】
遠心円板９の表面の領域に、つまり遠心円板９の表面を延びている仮想平面が、上昇管１０の長手方向軸線と交差している領域に、上昇管１０は流出開口２６を有しており、これらの流出開口２６は有利には半径方向外側を向いている。
【００２７】
これらの流出開口２６を通って浄化液５は上昇管１０から流出し、遠心円板９の表面を濡らす。そして浄化液５は遠心円板９から遠心力によってバッフルエレメント１４に向かって吹き飛ばされ、これによって浄化液５はエーロゾル化される。
【００２８】
流入空気１６は空気搬送装置１５から遠心円板９の通気開口２５に吹き込まれる。そして流入空気１６は、引き続き遠心加速される浄化液５と一緒にバッフルエレメント１４に向かって半径方向に運動し、次いでこのバッフルエレメント１４に沿って液体リザーバ４に向かって下降運動し、そして浄化されて流出空気２７としてバッフルエレメント１４と被覆体３との間を再び上昇運動し、最後にフード２と被覆体３との間における空気流出部２８を通って空気清浄機０から流れ出す。
【００２９】
霧状の雰囲気を通して強制空気案内することによって、空気の徹底的な浄化を行うことができる。流入空気案内部１９はさらに、流入空気１６と流出空気２７とが空気清浄機０の内部において混合することを阻止している。浄化液５は、堰き止め圧を上昇させる供給装置１１への入口の前でフィルタエレメント２４によって濾過される。
【図面の簡単な説明】
【００３０】
【図１】空気清浄機の原理を示す図である。
【図２】図１のＡ−Ａ線に沿った断面図である。
【図３】図１のＢ−Ｂ線に沿った断面図である。
【図１】
2006520625.tif 000003
【図２】
2006520625.tif 000004
【図３】
2006520625.tif 000005
【国際調査報告】
2006520625.tif 000006
2006520625.tif 000007
2006520625.tif 000008
2006520625.tif 000009